(57)【要約】【課題】カップ状容器を安定性よく把持することができ、しかも容易にして効率よく製作でき、コスト安価に得ることができる簡易なカップホルダーを提供する。【解決手段】１枚の断熱性シート材によりカップ状容器Ｃの斜めの側面ｃ１に嵌合する環状のフランジ状板部１と、その内周１ａに連接された把持用片２ａ，２ａとを有し、フランジ状板部１を、その内周に沿って相対向部位に連接部３，３を残存させて形成した切込み４，４により内方板部２と画し、内方板部２を、各連接部３，３に連なる複数の部分に分割して、折曲可能に連接された把持用片２ａ，２ａとして形成し、カップ状容器Ｃに嵌合したフランジ状板部１の下方で把持用片２ａ，２ａの上から容器を把持できるようにする。【選択図】        図１
2007068733.tif 000002
【特許請求の範囲】
【請求項１】
１枚の断熱性シート材により形成され、カップ状容器の斜めの側面に嵌合する環状のフランジ状板部とその内周に連接された把持用片とを有するカップホルダーであって、
前記フランジ状板部が、その内周に沿って周方向の所要間隔毎に連接部を残存させて形成された複数の切込みにより内方板部と画され、前記内方板部が、前記各連接部に連なる複数の部分に分割形成されるとともに、各分割部分がそれぞれ前記フランジ状板部に対し前記連接部で折曲可能な把持用片として形成されてなることを特徴とするカップホルダー。
【請求項２】
前記フランジ状板部の内周に沿って、周方向の相対向部位にそれぞれ連接部を残存させるように円弧状の２条の切込みが対向して形成されており、前記内方板部が前記両連接部間の中間で２分割されて、両分割部分が前記フランジ状板部に前記連接部を介して折曲可能に連接された二つの把持用片として形成されてなる請求項１に記載のカップホルダー。
【請求項３】
前記内方板部が、その中心を通りかつ隣接する連接部間の各切込みに至る分割用切込みにより複数に分割形成されてなる請求項１または２に記載のカップホルダー。
【請求項４】
前記フランジ状板部の内周に沿う前記各切込みのそれぞれ両端部が内方に屈曲して終端している請求項１〜３のいずれか１項に記載のカップホルダー。
【請求項５】
前記各連接部に、両側の各切込みの端部同士の間に折り目線が形成されてなる請求項１〜３のいずれか１項に記載のカップホルダー。
【請求項６】
前記各把持用片には、前記各連接部の両側の各切込みの端部から分割用切込みに至る平行な２条の折り目線が形成されてなる請求項３〜５のいずれか１項に記載のカップホルダー。
【請求項７】
前記フランジ状板部の内周に沿う切込みが、それぞれ周方向の中間一部において内方へ張り出して形成され、前記フランジ状板部の内周縁の一部が内方への突出状をなしている請求項１〜６のいずれか１項に記載のカップホルダー。
【発明の詳細な説明】
【技術分野】
【０００１】
本発明は、紙製、プラスチック製、又はガラス製等の各種のカップ状容器、特に上端開口側ほど径大のテーパ状をなすカップ状容器を保持するのに使用する簡易なカップホルダーに関するものである。
【背景技術】
【０００２】
ファーストフード店、あるいは各種の乗り物の車内や機内で飲み物等を供するためのカップとして、紙製やプラスチック製の比較的薄肉の簡易なカップ状容器が使用されている。かかる紙製等のカップ状容器は、加熱された飲み物を入れた場合に、そのままでは容器側面が熱くて直接把持することができない。容器側面に取っ手片を付設した紙製のカップ状容器もあるが、車内等で容器を持ち上げた場合の安定性に問題がある上、その容器製作上においては、別工程で作った取っ手片を容器側面に接着する必要があり、工程が増し、容器自体がコスト高なものになる。
【０００３】
この種のカップ状容器における前記の問題を解決するために、特許文献１や特許文献２に見られるように、１枚の紙材等からなるカップホルダーが提案されている。
【０００４】
特許文献１のカップホルダーは、カップ状容器の斜めの側面に嵌合する鍔状縁の外周の一部に把手板を形成したもので、前記鍔状縁をカップ状容器の側面に嵌合した状態において前記把手板を折曲して下方に折り曲げることにより、その内側端を容器側面に当接させて、該把手板を取っ手のごとく把持するようにしたものであるが、カップ状容器を直接把持するものでないため、ガタ付きや滑りが生じ易く、把持状態が不安定になる虞がある。また、１枚の紙材から打ち抜き形成するにしても、前記鍔状縁の内方は打ち抜かれる捨て代になる上、前記把手板を形成するために前記鍔状縁の外方に突出した部分が必要であり、そのため、製作上における一つのホルダーについての紙材の使用面積が大きくなり、それだけ一枚の紙材からの取り数が少なく、材料費が高くつき、コスト高になる。
【０００５】
また、特許文献２のカップホルダーの場合も、カップ状容器の斜めの側面に嵌合するリング状の鍔状板の外周に、側面板や容器底面を受ける底面板を折曲可能に連接して構成したものであり、使用の際の組み立てが面倒である上、前記鍔状板の外周に側面板等を連接しているために、やはり一つのホルダーについての紙材の使用面積が大きく、それだけ一枚の紙材からの取り数が少なく、使い捨てのカップホルダーとしてはコスト高になる。
【特許文献１】実開平５−９３３３７号公報
【特許文献２】実開平５−９３３３８号公報
【発明の開示】
【発明が解決しようとする課題】
【０００６】
本発明は、上記に鑑みてなしたものであり、カップ状容器を安定性よく把持することができ、しかも容易にして効率よく製作でき、コスト安価に得ることができる簡易なカップホルダーを提供するものである。
【課題を解決するための手段】
【０００７】
上記の課題を解決する本発明のカップホルダーは、１枚の断熱性シート材により形成され、カップ状容器の斜めの側面に嵌合する環状のフランジ状板部と、その内周に連接された把持用片とを有するカップホルダーであって、前記フランジ状板部が、その内周に沿って周方向の所要間隔毎に連接部を残存させて形成された複数の切込みにより内方板部と画され、前記内方板部が、前記各連接部に連なる複数の部分に分割形成されるとともに、各分割部分がそれぞれ前記フランジ状板部に対し前記連接部で折曲可能な把持用片として形成されてなることを特徴とする。
【０００８】
このカップホルダーの使用においては、カップ状容器の側面に嵌合するフランジ状板部の内周に連接された複数の把持用片を下方向きに折り曲げた状態で、該フランジ状板部の内周にカップ状容器を嵌合し、該カップ状容器の側面に前記把持用片を対接させる。この状態において、前記前記フランジ状板部の下で前記把持用片の上からカップ状容器を把持すれば、断熱性シート材よりなる前記把持用片の断熱性により熱さを感じることなく把持できる。また、この把持状態においては、前記把持用片の上のフランジ状板部が把持する指の上に係止することになるため、把持力が少々緩んでも脱落のおそれなく安定性よく把持できる。しかも、内容物の入った容器荷重を前記フランジ状板部の内周全体で受けるため、前記把持用片とフランジ状板部との間の連接部には過度に強い力がかからず、前記の把持状態において把持用片が容易に破れることもない。
【０００９】
また、このカップホルダーは、カップ状容器の側面外周に嵌合するフランジ状板部より内側の内方板部を把持用片に利用するため、前記フランジ状板部から外方への突出部分を設ける必要がなく、外方に突出する部分を設ける従来品よりもコンパクトに形成でき、一つのホルダーについての断熱性シート材の使用面積も小さくて済む。
【００１０】
前記のカップホルダーにおいて、前記フランジ状板部の内周に沿って、周方向の相対向部位にそれぞれ連接部を残存させるように２条の切込みが対向して形成されており、前記内方板部が前記両連接部間の中間で２分割されて、両分割部分が前記フランジ状板部に前記連接部を介して折曲可能に連接された二つの把持用片として形成されてなるものが好ましい。これにより、比較的大きな二つの把持用片が相対向して形成されることになるため、前記カップ状容器を両把持用片を介して安定性よく安全に把持することができる。
【００１１】
前記のカップホルダーにおいて、前記内方板部が、その中心を通りかつ隣接する連接部間の各切込みに至る分割用切込みにより複数に分割形成されてなるものがよく、これにより、複数の各把持用片をバランスよく形成できる。
【００１２】
前記のカップホルダーにおいて、前記フランジ状板部の内周に沿う前記各切込みのそれぞれ両端部が内方に屈曲して終端しているのが好ましい。これにより、前記把持用片を折り曲げた場合に丸みが付いてかつ折り曲げ幅が大きくなるため、前記フランジ状板部をカップ状容器に嵌合した場合に、前記連接部が弾力的に容器側面に対接することで滑りが生じ難くなる上、前記切込みの端部からの破損等も生じ難くなる。
【００１３】
前記各連接部に、両側の各切込みの端部同士の間に折り目線が形成されていると、使用時の前記連接部の折り曲げが容易になる。
【００１４】
また、前記の各カップホルダーにおいて、各把持用片には、前記各連接部の両側の各切込みの端部から分割用切込みに至る平行な２条の折り目線が形成されてなるものとすることができる。これにより、前記各把持用片をフランジ状板部に対し下方に折り曲げた状態において、該把持用片の両側部分を前記折り目線から外方に僅かに折曲げるようにして、凹形状にすることができ、これにより前記把持用片の中央部に指先を合わせ易く、カップ状容器をより一層把持し易くなる。
【００１５】
さらに、前記の各発明のカップホルダーにおいて、前記フランジ状板部の内周に沿う切込みが、それぞれ周方向の中間一部において内方へ張り出して形成され、前記フランジ状板部の内周縁の一部が内方への突出状をなしていると、この突出部がカップ状容器の側面に対して局部的に強く接触することで滑り止め効果が大きくなり、そのため、このカップホルダーをカップ状容器に対し安定性よく嵌合でき、ホールド感をさらにアップでき、カップ状容器をテーブル等の上に載置した場合にカップホルダーが落下することもない。
【発明の効果】
【００１６】
本発明のカップホルダーによれば、カップ状容器の側面に嵌合する環状のフランジ状板部より内方板部を容器を把持するための把持用片に利用するようにしたので、外方に突出する部分を設ける従来品よりもコンパクトに形成でき、一つのホルダーについての断熱性シート材の使用面積が小さくて済み、それだけ製作上における一枚の断熱性シート材からの取り数を多くすることができ、容易にしてコスト安価に製作できることになる。
【００１７】
また、このカップホルダーの使用においては、カップ状容器に嵌合した前記フランジ状板部の下で前記把持用片の上からカップ状容器を安定性よく安全に把持できる。そのため、最小限の面積で熱さ等を回避する断熱用のカップホルダーとしての役目を充分に果たすことができる。
【発明を実施するための最良の形態】
【００１８】
次に本発明の実施の形態を図面に示す実施例に基づいて説明する。
【００１９】
図１は、本発明のカップホルダーの１実施例を示す平面図、図２は内方板部による把持用片を下方に折り曲げた状態の斜視図、図３はカップ状容器を嵌合した把持した使用状態の斜視図である。図４は他の実施例のカップホルダーの平面図、図５は同カップホルダーの把持用片を下方に折曲した状態の斜視図である。
【００２０】
図１〜図３の実施例のカップホルダーＡは、上端開口側程径大のテーパ状をなす主として横断面円形のカップ状容器Ｃに使用するもので、断熱性があってかつ適度に腰のある、つまり折り曲げに対して適度に抵抗力のある１枚の断熱性シート材として、例えば合成樹脂発泡シートを用いて打ち抜き等の手段により一体に形成した例を示している。この実施例のカップホルダーＡは、基本的に、前記カップ状容器Ｃの斜めの側面ｃ１における中間部位に嵌合し得る環状のフランジ状板部１と、該フランジ状板部１の内周に連接された少なくとも２枚の把持用片２ａ，２ａとからなる。
【００２１】
前記フランジ状板部１の外形については、図のような円形をなすものには限らず、角部に丸みをつけた四角形等の略多角形とすることもできる。また、フランジ状板部１の内形については、カップ状容器Ｃの側面ｃ１に対応した形状、すなわち主として実質的に円形とする。このフランジ状板部１の内径は、使用するカップ状容器Ｃのサイズや内容物の量に応じて、内容物の入った容器の重心より上部の位置、例えば、容器側面の中間部位、好ましくは底面から容器高さの１／２よりやや上の高さ位置、更に好ましくは底面から容器高さの６／１０〜７／１０の高さ位置に嵌合するように設定される。また、前記フランジ状板部１の外径は、該フランジ状板部１による保形性や使用時の強度等を考慮して適宜設定される。例えば、該フランジ状板部１の径方向幅が１０〜１５ｍｍ程度になるように設定される。
【００２２】
そして、前記のカップホルダーＡは、前記フランジ状板部１が、その内周１ａに沿って周方向の所要間隔（主として等角度間隔）毎の複数個所に所要幅の連接部３，３を残存させて形成された複数の切込み４，４により内方板部２と画され、前記内方板部２が、前記各連接部３，３に連なる複数の部分に分割形成されるとともに、各分割部分がそれぞれ前記フランジ状板部１に対し前記連接部３，３において折曲可能に連接された複数の把持用片２ａ，２ａとして形成されており、該把持用片２ａ，２ａを下方向きに折り曲げて前記フランジ状板部１を前記カップ状容器Ｃに嵌合した状態で、該フランジ状板部１の下で容器側面ｃ１に対接する前記把持用片２ａ，２ａの上から該カップ状容器Ｃを把持できるように構成されている。
【００２３】
図示する実施例では、前記フランジ状板部１の内周１ａの円上に沿って１８０°相対向する部位に連接部３，３を残存させて２条の円弧状の切込み４，４が相対向して形成されており、該切込み３，３により前記フランジ状板部１と画された前記内方板部２が、前記各連接部３，３間の中間、好ましくは内方板部２の中心を通りかつ前記２条の切込み３，３に至る分割用切込み５により対称形をなすように２分割されて、両分割部分がそれぞれ前記フランジ状板部１に対し前記連接部３，３において折曲可能に連接された二つの把持用片２ａ，２ａとして形成されている。
【００２４】
前記フランジ状板部１の内周１ａに沿う切込み４，４は、それぞれ両端部４ａ，４ａが内方に丸みをなすように屈曲して終端しており、前記両把持用片２ａ，２ａの折り曲げによる前記連接部３，３の弱化、及び前記切込み４，４の端部４ａ，４ａからの破損を防止できるようになっている。また、前記切込み４の端部４ａが内方に屈曲して終端していることで、前記連接部３がフランジ状板部１の内周より内側で折り曲げられることになっても、素材の断熱性シート材が弾性変形が可能な合成樹脂発泡シートであれば、カップ状容器Ｃに対する前記フランジ状板部１の嵌合により、前記連接部３の折り曲げ位置が前記内周円上の位置まで比較的容易に押し拡げられ、かつ容器側面に沿うように変形できる。
【００２５】
なお、前記連接部３，３には、必要に応じて、薄肉化した凹条等の折り曲げを容易にするための折り目線を形成しておくこともできる（図示省略）。前記の連接部３，３の幅、すなわち両側の切込み端部４ａ，４ａ間の幅は、フランジ状板部１の内径や把持用片２ａの形状等によっても異なるが、折り曲げの容易性や強度、及び前記カップ状容器Ｃの嵌合時の変形容易性等を考慮して適宜設定でき、例えば１０〜２５ｍｍ程度の範囲とする。
【００２６】
また、前記切込み４，４は、それぞれ周方向の中間一部において内方へ凸状をなすように張り出して形成され、前記フランジ状板部１の内周１ａの一部が内方への突出状をなしており、前記フランジ状板部１を前記カップ状容器Ｃに嵌合した際に前記突出部１ｂ，１ｂにより摩擦抵抗を与え、所定の嵌合位置に保持でき、且つホールド感をアップできるようになっている。前記の切込み４，４の内方への凸状の張り出しによる前記突出部１ｂ，１ｂは各切込み４，４毎に複数設けることもでき、その数や大きさは任意に設定できる。図の場合、前記分割用の切込み５が対応位置の前記突出部１ｂ，１ｂの間に形成されている。
【００２７】
図４及び図５の第２の実施例のカップホルダーＡは、断熱性を有しかつ適度に折り曲げに対して抵抗力のある断熱性シート材として、例えば片面段ボール等の紙材を用いて打ち抜き等の手段により一体に形成した場合の例を示している。この実施例のカップホルダーＡについても、基本的構成は上記した実施例の場合と同様であり、環状のフランジ状板部１が、その内周１ａに沿って相対向部位に連接部３，３を残存させるように形成された円弧状の切込み４，４により内方板部２と画されている点、及び前記内方板部２が、その中心を通りかつ前記両連接部３，３間の中間で両切込み４，４に至る分割用切込み５が形成されて２分割され、両分割部分が対称の把持用片２ａ，２ａとして形成されている点は、上記した実施例と共通している。また各部の寸法等についても上記同様に設定できる。
【００２８】
そして、この実施例のカップホルダーＡの場合、フランジ状板部１の内周に沿う前記切込み４，４の両端部が外方へ僅かに屈曲して終端せしめられて、前記連接部３，３においてその両側の切込み４，４の端部４ａ，４ａ同士を結ぶ線上に折り目線６が形成され、使用の際に前記把持用片２ａ，２ａを容易に折曲できるようになっている。前記折り目線６は前記フランジ状板部１の内周１ａの接線上に位置するように形成される。このような折り目線６は、構成素材の断熱性シート材が片面段ボール等の紙材よりなる場合に特に好適である。
【００２９】
また、前記各把持用片２ａ，２ａには、前記連接部３，３の両側の各切込み４，４の両端から中間の分割用の切込み５に至る平行な２条の折り目線７，７が形成されており、使用の際に、各把持用片２ａ，２ａの両端部分を図５のように内側に凹形状に折曲できるようになっている。
【００３０】
前記の２条の折り目線７，７は、図１〜図３の実施例の形態のカップホルダーにも形成して実施することができる。また、この図４及び図５の実施例の場合においても、前記切込み４，４の一部を内方へ張り出し形成して、前記フランジ状板部１の内周１ａの一部を内方への突出状に形成しておくことができ、該フランジ状板部１をカップ状容器Ｃに嵌合した場合の滑り止め効果を高め、ホールド感をアップすることができる。
【００３１】
さらに、上記いずれの実施例においても、前記フランジ状板部１の内周に沿う前記切込み４，４、及び分割用切込み５については、必ずしも完全に切離されたものには限らず、使用の際に、指先で容易に切離できるミシン目状の切込み（図示せず）にして実施することもできる。
【００３２】
なお、本発明は、上記のほか、図示していないが、前記フランジ状板部１の内周１ａに沿う切込み４及び連接部３を３個所以上として、前記内方板部２を各連接部毎に分割用切込みにより分割形成し、各分割部分部分を三つ以上の把持用片として形成して実施することもできる。
【００３３】
前記のカップホルダーＡの構成素材としての断熱性シート材としては、合成樹脂の発泡シートや片面ダンボール等の断熱性を有しかつ適度に腰のある、つまり折り曲げに対して適度に抵抗力のあるシート材を用いることができる。このうち、合成樹脂発泡シートとしては、ポリエチレン、ポリプロピレン及びポリオレフィンを主体とする共重合体等のポリオレフィン系樹脂、ポリスチレン系樹脂、ポリエステル系樹脂等を比較的低倍率（２−６０倍）で発泡させた発泡シートが好適に用いられる。この発泡シートの厚みについては、１．０〜２．０ｍｍのものが好適に用いられるが、勿論、素材によっては前記範囲外のものを用いることもできる。また、場合によっては、少なくとも片面に非発泡の樹脂フィルムを積層した発泡シートを用いることもできる。
【００３４】
また、断熱性のある紙材製のシート材としては、片面段ボール、あるいは中芯の山の小さい段ボール等の断熱性を有する紙材を使用できる。
【００３５】
これらのシート材から本発明のカップホルダーＡを製作するには、上記したカップホルダーＡの形態に対応した打ち抜き刃を有する抜き刃型により、フランジ状板部の外形を型抜きするとともに、これと同時に、フランジ状板部１の内周に沿う切込み４，４および内方板部２の分割用切込み５を切込み形成する。この際、前記フランジ状板部１の外方には余分な突出部分を設ける必要がないため、一つのホルダーに占める面積が小さくて済み、そのため、一枚の断熱性シート材におけるホルダーの抜き取り位置を、フランジ状板部の外方に把持用の突出部分を有する従来品に比して多くすることができる。特に、円形のカップホルダーの取り位置を千鳥状に配置する等してその取り数を多くして、効率よく型抜き形成でき、コスト安価に製作できることになる。
【００３６】
こうして製作される前記のカップホルダーＡは、その使用において、図２あるいは図５のように、フランジ状板部１より内側の内方板部２よりなる把持用片２ａ，２ａを、それぞれ連接部３，３で下方に折曲しておいて、例えば熱い飲み物を収容する前記カップ状容器Ｃに対しその下方より容器高さの中間部位に嵌合する。好ましくは、容器高さの１／２よりやや上の高さ位置に嵌合する。
【００３７】
こうして、容器側面に嵌合したフランジ状板部１の下で、前記両把持用片２ａ，２ａの上からカップ状容器Ｃを把持すればよく、断熱性シート材１０よりなるカップホルダーＡの把持用片２ａ，２ａを断熱層として介在させて前記カップ状容器Ｃを安全に且つ安定性よく把持できる。特に、前記の把持状態においては、前記把持用片２ａ，２ａの上にある前記フランジ状板部１が把持する指の上に係止することになり、把持力が少々緩んでも絡脱することなく安定性よく保持できる。しかも、内容物の入った容器Ｃの荷重を前記フランジ状板部１の内周１ａで受けるため、前記把持用片２ａ，２ａとフランジ状板部１との間の連接部３，３には強い力がかからず、該連接部３，３が破れる心配もない。
【００３８】
また、図１〜図３の実施例のように、切込み４，４の両端部４ａ，４ａが内方に丸みをなして屈曲している場合、前記把持用片２ａ，２ａを折り曲げた場合に折り曲げ幅が大きくなり、前記フランジ状板部１をカップ状容器Ｃに嵌合した場合に、前記連接部３，３が弾力的に容器側面ｃ１に対接することで滑りが生じ難くなる上、前記切込み４，４の端部４ａ，４ａからの破損等も生じ難く、一層安全に使用できることになる。
【産業上の利用可能性】
【００３９】
本発明は、ファーストフード店、あるいは各種の乗り物の車内や機内において飲料を供するためのカップ状容器が、紙製、プラスチック製、又はガラス製等よりなる場合のカップホルダーとして好適に使用できる。
【図面の簡単な説明】
【００４０】
【図１】本発明の１実施例のカップホルダーを示す平面図である。
【図２】同上のカップホルダーの把持用片を下方に折り曲げた状態の斜視図である。
【図３】同上のカップホルダーを使用してカップを把持した状態の斜視図である。
【図４】本発明の他の実施例のカップホルダーの平面図である。
【図５】同上のカップホルダーの把持用片を下方に折り曲げた状態の斜視図である。
【符号の説明】
【００４１】
Ａ…カップホルダー、Ｃ…カップ状容器、ｃ１…容器側面、１…フランジ状板部、１ａ…内周、１ｂ…突出部、２…内方板部、２ａ…把持用片、３…連接部、４…円弧状の切込み、４ａ…端部、５…分割用切込み、６…折り目線、７…折り目線。
【図１】
2007068733.tif 000003
【図２】
2007068733.tif 000004
【図３】
2007068733.tif 000005
【図４】
2007068733.tif 000006
【図５】
2007068733.tif 000007